(57)【要約】【課題】人が直接触れる表面に水が存在する場合でも、優れた温感効果を奏することのできる温感床材を提供する。【解決手段】温感床材としての温感タイルは、板状の基部１と、この基部１の表面側で周縁に連通する溝５により島状に一体に設けられ、無数の気泡２ａを有して構成された断熱部４とからなる。【選択図】        図５
2005076419.tif 000002
【特許請求の範囲】
【請求項１】
板状の基部と、該基部の表面側で周縁に連通する溝により島状に一体に設けられ、無数の気泡を有して構成された断熱部とからなることを特徴とする温感床材。
【請求項２】
前記断熱部は撥水性をもつことを特徴とする請求項１記載の温感床材。
【請求項３】
前記溝は親水性をもつことを特徴とする請求項１又は２記載の温感床材。
【請求項４】
前記断熱部の表面は粗面化されていることを特徴とする１乃至３のいずれか１項記載の温感床材。
【請求項５】
板状の基部と、該基部の表面側に一体に設けられ、無数の気泡を有して構成された第１断熱部と、該第１断熱部の表面側で周縁に連通する溝により島状に一体に設けられ、無数の気泡を有して構成された第２断熱部とからなることを特徴とする温感床材。
【請求項６】
前記第２断熱部は撥水性をもつことを特徴とする請求項５記載の温感床材。
【請求項７】
前記溝は親水性をもつことを特徴とする請求項５又は６記載の温感床材。
【請求項８】
前記第２断熱部の表面は粗面化されていることを特徴とする５乃至７のいずれか１項記載の温感床材。
【請求項９】
前記気泡内には空気が存在していることを特徴とする請求項１乃至８のいずれか１項記載の温感床材。
【請求項１０】
前記気泡は独立気泡であることを特徴とする請求項１乃至９のいずれか１項記載の温感床材。
【請求項１１】
浴室用のものであることを特徴とする請求項１乃至１０のいずれか１項記載の温感床材。
【請求項１２】
板状の基部を得る第１工程と、
無数の中空粒子又は中空繊維を含む断熱用塗料を該基部の表面側に周縁に連通する溝により島状になるように塗布することにより、該基部の表面側で該溝により島状に一体に設けられ、無数の気泡を有して構成された断熱部とし、温感床材を得る第２工程とからなることを特徴とする温感床材の製造方法。
【請求項１３】
板状の基部を得る第１工程と、
無数の中空粒子又は中空繊維を含む第１断熱用塗料を該基部の表面側に塗布することにより、該基部の表面側で一体に設けられ、無数の気泡を有して構成された第１断熱部とし、中間材を得る第２工程と、
無数の中空粒子又は中空繊維を含む第２断熱用塗料を該中間材の表面側に周縁に連通する溝により島状になるように塗布することにより、該中間材の表面側で該溝により島状に一体に設けられ、無数の気泡を有して構成された第２断熱部とし、温感床材を得る第３工程とからなることを特徴とする温感床材の製造方法。
【請求項１４】
板状の基部を得る第１工程と、
無数の中空粒子又は中空繊維を含まない一般塗料を該基部の表面側に周縁に連通する溝により島状になるように塗布することにより未硬化塗料部を形成し、中間材を得る第２工程と、
該中間材の該未硬化塗料部に中空粒子又は中空繊維を散在することにより、該基部の表面側で該溝により島状に一体に設けられ、無数の気泡を有して構成された断熱部とし、温感床材を得る第３工程とからなることを特徴とする温感床材の製造方法。
【請求項１５】
板状の基部を得る第１工程と、
無数の中空粒子又は中空繊維を含む第１断熱用塗料を該基部の表面側に塗布することにより、該基部の表面側で一体に設けられ、無数の気泡を有して構成された第１断熱部とし、中間材を得る第２工程と、
無数の中空粒子又は中空繊維を含まない一般塗料を該中間材の表面側に周縁に連通する溝により島状になるように塗布することにより未硬化塗料部を形成し、中間材を得る第３工程と、
該中間材の該未硬化塗料部に中空粒子又は中空繊維を散在することにより、該中間材の表面側で該溝により島状に一体に設けられ、無数の気泡を有して構成された第２断熱部とし、温感床材を得る第４工程とからなることを特徴とする温感床材の製造方法。
【請求項１６】
板状の基部を得る第１工程と、
無数の中空粒子又は中空繊維を含む断熱部用シートモールディングコンパウンドを該基部の表面側に周縁に連通する溝により島状になるように設けることにより、該基部の表面側で該溝により島状に一体に設けられ、無数の気泡を有して構成された断熱部を形成し、温感床材を得る第２工程とからなることを特徴とする温感床材の製造方法。
【請求項１７】
板状の基部を得る第１工程と、
無数の中空粒子又は中空繊維を含む第１断熱部用シートモールディングコンパウンドを該基部の表面側に設けることにより、該基部の表面側で一体に設けられ、無数の気泡を有して構成された第１断熱部を形成し、中間材を得る第２工程と、
無数の中空粒子又は中空繊維を含む第２断熱部用シートモールディングコンパウンドを該中間材の表面側に周縁に連通する溝により島状になるように設けることにより、該中間材の表面側で該溝により島状に一体に設けられ、無数の気泡を有して構成された第２断熱部を形成し、温感床材を得る第３工程とからなることを特徴とする温感床材の製造方法。
【発明の詳細な説明】
【技術分野】
【０００１】
本発明は温感部材及びその製造方法に関する。温感部材とは、人が表面に触れた場合に冷たさや熱さをより感じ難い部材である。
【背景技術】
【０００２】
床材として用いられ得る一般的なタイルは、板状をなすセラミックス製の基部と、この基部の表面側に形成され、釉薬が溶融することによって形成された表面層とからなる。このセラミックス製品はおよそ以下の製造方法によって製造される。まず、粘土等のセラミックス原料によって板状の素地を得る。そして、この素地の表面側に釉薬によって釉薬層を施釉し、施釉品とする。この後、この施釉品を焼成する。こうして得られるタイルは、基部がセラミックス製であり、表面層が非晶質又は結晶質のガラス質からなるため、内装材等の建材等として、優れた耐熱性、耐薬品性等による優れた耐久性を発揮する。また、このタイルは表面層によって優れた意匠性も発揮する。
【０００３】
しかし、この種の一般的なタイルは、冬場にそれが日陰にあり、人がその表面に触れた場合には冷たさを感じ、夏場にそれが日なたにあり、人がその表面に触れた場合には熱さを感じるという不具合がある。
【０００４】
このため、上記表面層を多孔質にした温感タイルが特許文献１に提案されている。この温感タイルは、多孔質の表面層が熱伝導率を低下させることから、冬場にそれが日陰にあり、人がその表面に触れた場合にも冷たさを感じ難く、夏場にそれが日なたにあり、人がその表面に触れた場合にも熱さを感じ難いという温感効果を生じる。
【０００５】
一方、板状をなす繊維強化プラスチック（ＦＲＰ）製の基部と、無数の中空粒子を含む塗料を基部の表面側に塗布することにより基部と一体に設けられた表面層とからなる床材も特許文献２、３に提案されている。ＦＲＰからなる基部は、ハンドレイアップ（ＨＬＵ）法、スプレーアップ（ＳＰＵ）法、シートモールディングコンパウンド（ＳＭＣ）法、バルクモールディングコンパウンド（ＢＭＣ）法、注型（キャスト）成形法、プリフォームマッチドダイ（ＰＦＭＤ）法、コールドプレス（ＣＰ）法、レジントランスファーモールディング（ＲＴＭ）法、バキュームアシストレジントランスファーモールディング（ＶＡＲＴＭ）法、レジンインフュージョン（ＲＩＭＰ）法、オートクレーブ（ＡＣ）法、フィラメントワインディング（ＦＷ）法、引抜成形法、真空バッグ（ＶＢ）法、遠心成形（ＣＣ）法、回転成形（ＲＭ）法、加圧バッグ（ＰＢ）法等の製造方法によって製造される。これらの床材は、軽量及び高強度であるとともに、ＦＲＰが比較的低い熱伝導率を有し、かつ表面層が中空粒子によって無数の気泡を有していることから、同様の温感効果を生じる。
【０００６】
【特許文献１】特開平５−１７２７１号公報
【特許文献２】特開平９−１９３２７５号公報
【特許文献３】実用新案登録第３０２８８５２号公報
【発明の開示】
【発明が解決しようとする課題】
【０００７】
しかし、上記特許文献１記載の温感タイルや上記特許文献２、３記載の床材は、多孔質の表面層や無数の気泡を有する表面層が単に基部の表面側に一体に設けられているに過ぎないものであるため、その表面に水が存在する場合、人はその水に触れてしまうこととなる。つまり、この温感タイルは、表面に存在する水によって温感効果が損なわれやすいという不具合がある。
【０００８】
なお、焼成時に素地を発泡させつつ焼結させた温感タイルが特開平４−２６７５号公報に提案されている。同様に、素地に多孔質粒を混合して焼結させた温感タイルも特開２００２−２８５６９５号公報に提案されている。しかしながら、これらの温感タイルは、基部が多孔質になっているに過ぎないことから、基部が剥き出しの意匠性の低いものでない限り、人は基部に直接触れることはなく、温感効果が十分でない。
【０００９】
本発明は、上記従来の実情に鑑みてなされたものであって、人が直接触れる表面に水が存在する場合でも、優れた温感効果を奏することのできる温感床材を提供することを解決すべき課題としている。
【課題を解決するための手段】
【００１０】
第１発明の温感床材は、板状の基部と、該基部の表面側で周縁に連通する溝により島状に一体に設けられ、無数の気泡を有して構成された断熱部とからなることを特徴とする。
【００１１】
第１発明の温感床材は、人が直接触れる表面側の断熱部が無数の気泡を有しており、各気泡が熱の移動を阻害する。このため、例えば、冬場において人が表面に触れた場合に冷たさをより感じ難い。また、夏場において、人が表面に触れた場合に熱さをより感じ難い。すなわち、この温感床材は効果的な温感効果を発揮する。なお、発明者らの知見によれば、体感される温感効果は、温感床材の熱流速と相関関係がある。
【００１２】
また、第１発明の温感床材は、断熱部が基部の表面側で周縁に連通する溝により島状に設けられたものであるため、その表面に水が存在する場合、水は断熱部の表面から溝内に落ちて基部の周縁から外部に排出される。このため、人はその水に触れ難く、温感効果が損なわれ難い。
【００１３】
したがって、第１発明の温感床材は、人が直接触れる表面に水が存在する場合でも、優れた温感効果を奏することができる。また、この温感床材においては、断熱部が基部と一体になっているため、使用者は温感を得るために別体のシートをこの温感床材の上に設けるというような面倒さを感じることもない。さらに、この温感床材は、断熱部によって基部が隠蔽され、高い意匠性を発揮する。
【００１４】
第１発明の温感床材において、断熱部は撥水性をもつことが好ましい。この場合、断熱部の表面に水が存在する場合、水は断熱部の表面から溝内に落ちやすく、基部の周縁から外部に排出されやすい。
【００１５】
第１発明の温感床材において、溝は親水性をもつことが好ましい。この場合、断熱部の表面に水が存在する場合、水は断熱部の表面から溝内に落ちやすく、基部の周縁から外部に排出されやすい。
【００１６】
第１発明の温感床材において、断熱部の表面は粗面化されていることが好ましい。この場合、凹部と人の肌との間に空気が存在しやすく、温感効果が高まる。また、断熱部の粗面によって、人が床面を滑り難くなり、安全性が高まる。さらに、断熱部の粗面によって、温感床材の意匠性が高まる。
【００１７】
第２発明の温感床材は、板状の基部と、該基部の表面側に一体に設けられ、無数の気泡を有して構成された第１断熱部と、該第１断熱部の表面側で周縁に連通する溝により島状に一体に設けられ、無数の気泡を有して構成された第２断熱部とからなることを特徴とする。
【００１８】
第２発明の温感床材は、人が直接触れない表面側の第１断熱部と、人が直接触れる表面側の第２断熱部とが無数の気泡を有しており、各気泡が熱の移動を阻害する。このため、この温感床材はさらに効果的な温感効果を発揮する。
【００１９】
また、第２発明の温感床材は、第２断熱部が第１断熱部の表面側で周縁に連通する溝により島状に設けられたものであるため、その表面に水が存在する場合、水は第２断熱部の表面から溝内に落ちて第１断熱部の周縁から外部に排出される。このため、人はその水に触れ難く、温感効果が損なわれ難い。
【００２０】
したがって、第２発明の温感床材はより優れた温感効果を奏することができる。また、この温感床材においても、第１断熱部が基部と一体になっており、第２断熱部が第１断熱部と一体になっているため、使用者は温感を得るために別体のシートをこの温感床材の上に設けるというような面倒さを感じることもない。さらに、この温感床材は、第１、２断熱部によって基部が隠蔽され、より高い意匠性を発揮する。
【００２１】
第２発明の温感床材において、第２断熱部は撥水性をもつことが好ましい。この場合、第２断熱部の表面に水が存在する場合、水は第２断熱部の表面から溝内に落ちやすく、第１断熱部の周縁から外部に排出されやすい。
【００２２】
第２発明の温感床材において、溝は親水性をもつことが好ましい。この場合、第２断熱部の表面に水が存在する場合、水は第２断熱部の表面から溝内に落ちやすく、第１断熱部の周縁から外部に排出されやすい。
【００２３】
第２発明の温感床材において、第２断熱部の表面は粗面化されていることが好ましい。この場合、凹部と人の肌との間に空気が存在しやすく、温感効果が高まる。また、第２断熱部の粗面によって、人が床面を滑り難くなり、安全性が高まる。さらに、第２断熱部の粗面によって、温感床材の意匠性が高まる。
【００２４】
第１、２発明の温感床材において、基部は板状のものである。基部の材質としては、樹脂、ＦＲＰ、セラミックス、金属、木質、紙等を採用することができる。基部がＦＲＰ製であれば、軽量性、高強度性等の優れた特質も発揮する。
【００２５】
第１、２発明の温感床材において、断熱部のマトリックスとしては、有機又は無機の一般塗料を採用することができる。有機の一般塗料としては、シリコン系塗料、アクリル系塗料、フッ素系塗料、ウレタン系塗料等を採用することができる。無機の一般塗料としては、釉薬、水ガラス等を採用することができる。
【００２６】
第１、２発明の温感床材において、気泡内は、空気等の気体が充満していてもよく、真空であってもよい。気泡内に空気が存在していることが好ましい。気泡内に空気が存在している断熱部、第１断熱部又は第２断熱部の製造は容易であり、製造コストの低廉化を実現できる。
【００２７】
また、気泡は、連続気泡であってもよいが、独立気泡であることが好ましい。連続気泡は、表面に開口して内部に常に外気を取り入れることから、大きな温感効果が得られ難い。また、連続気泡の断熱部、第１断熱部又は第２断熱部は、表面から含水等を生じ、汚れ易い。これに対し、独立気泡は、表面に閉口して内部が閉じ込められていることから、大きな温感効果が得られやすい。また、独立気泡の断熱部、第１断熱部又は第２断熱部は、表面からの含水をより確実に防止することができ、汚れにくい。断熱部、第１断熱部又は第２断熱部はそのような独立気泡が密に存在していることが好ましく、特に最密に存在していることが好ましい。独立気泡の密度が高い程、温感効果が高くなる。
【００２８】
断熱部、第１断熱部又は第２断熱部の表面側には保護層が一体に設けられていることが好ましい。断熱部、第１断熱部又は第２断熱部の気泡が表面に開いているとそこに汚れが蓄積するおそれがあるが、保護層はその気泡が表面に開くことを防止する。特に、断熱部、第１断熱部又は第２断熱部の無数の気泡を中空粒子や中空繊維によって形成している場合にこの効果が大きい。中空粒子や中空繊維は使用によって割れてしまうこともあり、保護層がクッションとなってその割れを防止することができる。中空粒子や中空繊維を含む断熱用塗料を基部の表面側に塗布した場合、中空粒子や中空繊維が凸状に表面側に突出しやすいことから、特にこの効果が顕著である。また、保護層は汚れが温感床材の表面に付着することを防止することも可能である。断熱部、第１断熱部又は第２断熱部による温感効果を維持するため、保護層の厚さは２０〜５００μｍが好ましい。断熱部、第１断熱部又は第２断熱部の表面に保護層を一体に設けるためには、基部及び断熱部、第１断熱部又は第２断熱部を成形後、成形体に保護層用の塗料をスプレー等によって塗布する手段、基部及び断熱部、第１断熱部又は第２断熱部とともに保護層用のシートを成形する手段等を採用することができる。保護層用の塗料としては、ウレタン塗料、アクリル塗料等を採用することができる。保護層用のシートとしては、不織布にウレタンやアクリル等の未硬化樹脂を含浸させたものを採用することができる。
【００２９】
本発明の温感床材は、浴室用に具体化可能である他、ベランダ用、バルコニー用、リビング用等に具体化可能である。浴室用温感床材のうち、洗い場部分に本発明を適用することが特に効果的である。人が裸足でその上に居るとしても、温感効果によってここちよく過ごすことが可能になる。
【００３０】
第１発明の温感床材は以下の第１の製造方法により製造可能である。第１の製造方法は、板状の基部を得る第１工程と、無数の中空粒子又は中空繊維を含む断熱用塗料を該基部の表面側に周縁に連通する溝により島状になるように塗布することにより、該基部の表面側で該溝により島状に一体に設けられ、無数の気泡を有して構成された断熱部とし、温感床材を得る第２工程とからなることを特徴とする。
【００３１】
第１の製造方法の場合、第１工程では、板状の基部を得る。樹脂製の基部を得る場合、射出成形、押出成形等を採用することができる。ＦＲＰ製の基部を得る場合、ハンドレイアップ（ＨＬＵ）法、スプレーアップ（ＳＰＵ）法、シートモールディングコンパウンド（ＳＭＣ）法、バルクモールディングコンパウンド（ＢＭＣ）法、注型（キャスト）成形法、プリフォームマッチドダイ（ＰＦＭＤ）法、コールドプレス（ＣＰ）法、レジントランスファーモールディング（ＲＴＭ）法、バキュームアシストレジントランスファーモールディング（ＶＡＲＴＭ）法、レジンインフュージョン（ＲＩＭＰ）法、オートクレーブ（ＡＣ）法、フィラメントワインディング（ＦＷ）法、引抜成形法、真空バッグ（ＶＢ）法、遠心成形（ＣＣ）法、回転成形（ＲＭ）法、加圧バッグ（ＰＢ）法等を採用することができる。セラミックス製の基部を得る場合、粘土等のセラミックス原料によって板状の素地を得た後、第２工程によってこの素地の表面側に断熱部用釉薬によって釉薬層を施釉して施釉品とし、さらにこの施釉品を焼成する。金属製の基部は、金属板等を切断すること等によって得られる。
【００３２】
そして、第２工程では、まず無数の中空粒子又は中空繊維を含む断熱用塗料を用意し、この断熱用塗料を基部の表面側に塗布する。この際、周縁に連通する溝により島状になるように断熱用塗料を塗布する。これにより、基部の表面側で溝により島状に一体に設けられ、無数の気泡を有して構成された断熱部とする。この際、有機の一般塗料によって断熱用塗料を得ている場合には、塗布後、硬化される。また、無機の一般塗料によって断熱用塗料を得ている場合には、塗布後、焼成される。この際、中空粒子や中空繊維が中空部に空気を有しておれば、表面を上方にすることにより、中空粒子や中空繊維が塗料内を浮く方向に移動し、人が触れる表面側に中空粒子や中空繊維が存在する温感床材を確実に製造することができる。塗布方法としては、スプレーによって断熱用塗料を細かく点在させる方法、滴下によって断熱用塗料を粗く点在させる方法、マスキングして断熱用塗料を点在させる方法等を採用することができる。こうして温感床材を得る。
【００３３】
第１発明の温感床材は以下の第２の製造方法によっても製造可能である。第２の製造方法は、板状の基部を得る第１工程と、無数の中空粒子又は中空繊維を含まない一般塗料を該基部の表面側に周縁に連通する溝により島状になるように塗布することにより未硬化塗料部を形成し、中間材を得る第２工程と、該中間材の該未硬化塗料部に中空粒子又は中空繊維を散在することにより、該基部の表面側で該溝により島状に一体に設けられ、無数の気泡を有して構成された断熱部とし、温感床材を得る第３工程とからなることを特徴とする。
【００３４】
第２の製造方法の場合も、第１工程では、上記と同様、板状の基部を得る。そして、第２工程では、無数の中空粒子又は中空繊維を含まない一般塗料を用意し、この一般塗料を基部の表面側に塗布する。この際、周縁に連通する溝により島状になるように一般塗料を塗布する。これにより未硬化塗料部を形成し、中間材を得る。この後、第３工程において、中間材の未硬化塗料部に中空粒子又は中空繊維を散在する。これにより、基部の表面側で溝により島状に一体に設けられ、無数の気泡を有して構成された断熱部とする。こうして温感床材を得る。
【００３５】
第１発明の温感床材は以下の第３の製造方法によっても製造可能である。第３の製造方法は、板状の基部を得る第１工程と、無数の中空粒子又は中空繊維を含む断熱部用シートモールディングコンパウンドを該基部の表面側に周縁に連通する溝により島状になるように設けることにより、該基部の表面側で該溝により島状に一体に設けられ、無数の気泡を有して構成された断熱部を形成し、温感床材を得る第２工程とからなることを特徴とする。
【００３６】
第３の製造方法の場合も、第１工程では、上記と同様、板状の基部を得る。そして、第２工程では、無数の中空粒子又は中空繊維を含む断熱部用シートモールディングコンパウンド（ＳＭＣ）を用意し、この断熱部用ＳＭＣを基部の表面側に設ける。この際、周縁に連通する溝により島状になるように断熱部用ＳＭＣを設ける。これにより、基部の表面側で溝により島状に一体に設けられ、無数の気泡を有して構成された断熱部を形成する。こうして温感床材を得る。
【００３７】
一方、第２発明の温感床材は以下の第４の製造方法により製造可能である。第４の製造方法は、板状の基部を得る第１工程と、無数の中空粒子又は中空繊維を含む第１断熱用塗料を該基部の表面側に塗布することにより、該基部の表面側で一体に設けられ、無数の気泡を有して構成された第１断熱部とし、中間材を得る第２工程と、無数の中空粒子又は中空繊維を含む第２断熱用塗料を該中間材の表面側に周縁に連通する溝により島状になるように塗布することにより、該中間材の表面側で該溝により島状に一体に設けられ、無数の気泡を有して構成された第２断熱部とし、温感床材を得る第３工程とからなることを特徴とする。
【００３８】
第４の製造方法の場合も、第１工程では、上記と同様、板状の基部を得る。第２工程では、まず無数の中空粒子又は中空繊維を含む第１断熱用塗料を用意し、この第１断熱用塗料を基部の表面側に塗布する。これにより、基部の表面側で一体に設けられ、無数の気泡を有して構成された第１断熱部とする。この際、有機の一般塗料によって第１断熱用塗料を得ている場合には、塗布後、硬化される。また、無機の一般塗料によって第１断熱用塗料を得ている場合には、塗布後、焼成される。こうして中間材を得る。この後、第３工程では、まず無数の中空粒子又は中空繊維を含む第２断熱用塗料を用意し、この第２断熱用塗料を中間材の表面側に塗布する。この際、周縁に連通する溝により島状になるように第２断熱用塗料を塗布する。これにより、中間材の表面側で溝により島状に一体に設けられ、無数の気泡を有して構成された第２断熱部とする。この際、有機の一般塗料によって第２断熱用塗料を得ている場合には、塗布後、硬化される。また、無機の一般塗料によって第２断熱用塗料を得ている場合には、塗布後、焼成される。こうして温感床材を得る。
【００３９】
第２発明の温感床材は以下の第５の製造方法によっても製造可能である。第５の製造方法は、板状の基部を得る第１工程と、無数の中空粒子又は中空繊維を含む第１断熱用塗料を該基部の表面側に塗布することにより、該基部の表面側で一体に設けられ、無数の気泡を有して構成された第１断熱部とし、中間材を得る第２工程と、無数の中空粒子又は中空繊維を含まない一般塗料を該中間材の表面側に周縁に連通する溝により島状になるように塗布することにより未硬化塗料部を形成し、中間材を得る第３工程と、該中間材の該未硬化塗料部に中空粒子又は中空繊維を散在することにより、該中間材の表面側で該溝により島状に一体に設けられ、無数の気泡を有して構成された第２断熱部とし、温感床材を得る第４工程とからなることを特徴とする。
【００４０】
第５の製造方法の場合も、第１工程では、上記と同様、板状の基部を得る。第２工程では、まず無数の中空粒子又は中空繊維を含む第１断熱用塗料を用意し、上記と同様、この第１断熱用塗料を基部の表面側に塗布する。これにより、基部の表面側で一体に設けられ、無数の気泡を有して構成された第１断熱部とする。こうして中間材を得る。この後、第３工程では、まず無数の中空粒子又は中空繊維を含まない一般塗料を用意し、上記と同様、この一般塗料を中間材の表面側に塗布する。この際、周縁に連通する溝により島状になるように一般塗料を塗布する。これにより、中間材の表面側で溝により島状に一体に設けられた未硬化塗料部とする。次いで、第４工程として、中間材の未硬化塗料部に中空粒子又は中空繊維を散在する。これにより、中間材の表面側で溝により島状に一体に設けられ、無数の気泡を有して構成された第２断熱部とする。こうして温感床材を得る。
【００４１】
第２発明の温感床材は以下の第６の製造方法によっても製造可能である。第６の製造方法は、板状の基部を得る第１工程と、無数の中空粒子又は中空繊維を含む第１断熱部用シートモールディングコンパウンドを該基部の表面側に設けることにより、該基部の表面側で一体に設けられ、無数の気泡を有して構成された第１断熱部を形成し、中間材を得る第２工程と、無数の中空粒子又は中空繊維を含む第２断熱部用シートモールディングコンパウンドを該中間材の表面側に周縁に連通する溝により島状になるように設けることにより、該中間材の表面側で該溝により島状に一体に設けられ、無数の気泡を有して構成された第２断熱部を形成し、温感床材を得る第３工程とからなることを特徴とする。
【００４２】
第６の製造方法の場合も、第１工程では、上記と同様、板状の基部を得る。そして、第２工程では、無数の中空粒子又は中空繊維を含む第１断熱部用ＳＭＣを用意し、この第１断熱部用ＳＭＣを基部の表面側に設ける。これにより、基部の表面側で一体に設けられ、無数の気泡を有して構成された第１断熱部を形成する。こうして中間材を得る。この後、第３工程では、無数の中空粒子又は中空繊維を含む第２断熱部用ＳＭＣを用意し、この第２断熱部用ＳＭＣを中間材の表面側に設ける。この際、周縁に連通する溝により島状になるように第２断熱部用ＳＭＣを設ける。これにより、中間材の表面側で溝により島状に一体に設けられ、無数の気泡を有して構成された第２断熱部を形成する。こうして温感床材を得る。
【００４３】
中空粒子とは、内部に中空部をもつ粒子である。中空部内は、空気等の気体が充満していてもよく、真空であってもよい。有機の一般塗料を採用する場合には、無機系の中空粒子であってもよく、有機系の中空粒子であってもよい。無機の一般塗料を採用する場合には、無機系の中空粒子を採用する。無機系の中空粒子としては、粒径が数１０μｍ程度のガラスバルーン、シリカバルーン、石英ガラスバルーン、フライアッシュ、シラスバルーン、アルミナバルーン等を採用することができる。有機系の中空粒子としては、粒径が数１０μｍ程度のフェノールバルーン、ポリアミドバルーン等を採用することができる。
【００４４】
中空繊維とは、内部に中空部をもつ繊維である。中空部内は、空気等の気体が充満していてもよく、真空であってもよい。有機の一般塗料を採用する場合には、無機系の中空繊維であってもよく、有機系の中空繊維であってもよい。無機の一般塗料を採用する場合には、無機系の中空繊維を採用する。無機系の中空繊維としては、直径が数１０μｍ程度の中空ガラス繊維、中空シリカ繊維、中空石英ガラス繊維等を採用することができる。有機系の中空繊維としては、直径が数１０μｍ程度の中空ポリエステル繊維、中空アクリル繊維等を採用することができる。
【００４５】
発明者らの試験結果によれば、中空粒子や中空繊維を塗料やＳＭＣ中に含ませる場合には、その塗料やＳＭＣの固形分１００重量部に対し、中空粒子や中空繊維が１０質量部以上含まれることにより温感効果が顕著である。塗料やＳＭＣの固形分１００重量部に対し、中空粒子や中空繊維が３０質量％以上含まれることが特に好ましい。
【発明を実施するための最良の形態】
【００４６】
以下、本発明を具体化した実施例１〜６及び比較例を図面を参照しつつ説明する。
【実施例１】
【００４７】
実施例１では、以下の製造方法により浴室用の温感タイル１０を製造する。まず、第１工程において、図１に示す板状の基部１を得る。この基部１の材質はポリプロピレン（ＰＰ）であり、プレス法によってこの基部１を得た。この基部１は、図２にも示すように、全体の略二分の一の厚みをなす板状の第１部材１ａと、この第１部材１ａの上面と平行な縦方向及び横方向に同一長さだけ平行移動して第１部材１ａと一体をなし、全体の略二分の一の厚みをなす第２部材１ｂとからなる。この基部１の全ての表面に対してマイクロシリカ又は二酸化チタンを含む塗料を塗布し、表面を親水性とする。
【００４８】
次いで、第２工程を行う。まず、無数の中空粒子として、図３に示すように、最小粒径５μｍ、最大粒径１００μｍ及び平均粒径４０μｍの市販のガラスバルーン２を用意する。このガラスバルーン２の気泡２ａ内には空気が存在している。このガラスバルーン２を高耐候性シリコン樹脂塗料３中に５体積％添加し、断熱用塗料４を得る。なお、ガラスバルーン２等の中空粒子の代わりに中空繊維を用いて断熱用塗料４を得ることもできる。
【００４９】
そして、図４に示すように、断熱用塗料４を上記基部１の第２部材１ｂの表面側に塗布する。この際、第２部材１ｂにマスキングをしつつ断熱用塗料４を塗布する。このため、断熱用塗料４は、平面視で小さな正方形形状の島状に塗布され、各断熱用塗料４の間に存在する溝５は基部１における第２部材１ｂの周縁に連通している。そして、断熱用塗料４を硬化させ、断熱部４とする。この断熱部４は、図５に示すように、基部１の表面側で溝５により島状に一体に設けられ、図３に示すように、無数のガラスバルーン２による気泡２ａを密に有して構成されている。ここで、断熱部４は高耐候性シリコン樹脂塗料３がマトリックスになっていることにより撥水性を有し、各断熱部４間に存在する溝５は基部１の表面が剥き出しであることにより親水性を有している。また、断熱部４の表面は各ガラスバルーン２の球面によって粗面化されている。こうして多数の温感タイル１０を得る。
【００５０】
これらの温感タイル１０は、図６及び図７に示すように、浴室の洗い場の床面Ｆ上において、隣り合うもの同士、水平方向に突出した第２部材１ｂの下に水平方向に突出した第１部材１ａが位置するように組み合わされる。この際、図８に示すように、各温感タイル１０の溝５は、自己の第２部材１ｂの周縁から自己又は隣り合うものの第１部材１ａ上に段差をもって連通する。こうして洗い場の床が構成される。
【００５１】
この温感タイル１０からなる床では、図５及び図３に示すように、人が直接触れる表面側の断熱部４が無数の独立気泡からなる気泡２ａを有しており、各気泡２ａが熱の移動を阻害する。このため、例えば、冬場において人が表面に触れた場合に冷たさをより感じ難い。また、夏場において、人が表面に触れた場合に熱さをより感じ難い。すなわち、各温感タイル１０は効果的な温感効果を発揮する。
【００５２】
また、これらの温感タイル１０からなる床では、図８に示すように、断熱部４が基部１の表面側で周縁に連通する溝５により島状に設けられたものであるため、その表面に水Ｗが存在する場合、水Ｗは断熱部４の表面から溝５内に落ち、さらに基部１の第２部材１ｂの周縁から基部１の第１部材１ａ上に落ち、外部に排出される。特に、これらの温感タイル１０からなる床では、断熱部４が撥水性をもち、かつ溝５が親水性をもつため、断熱部４の表面に水Ｗが存在する場合、水Ｗは断熱部４の表面から溝５内に落ちやすく、外部に排出されやすい。このため、人はその水Ｗに触れ難く、温感効果が損なわれ難い。
【００５３】
したがって、これらの温感タイル１０は、人が直接触れる表面に水Ｗが存在する場合でも、優れた温感効果を奏することができる。また、これらの温感タイル１０においては、断熱部４が基部１と一体になっているため、使用者は温感を得るために別体のシートをこれらの温感タイル１０の上に設けるというような面倒さを感じることもない。さらに、これらの温感タイル１０は、断熱部４によって基部１が隠蔽され、高い意匠性を発揮する。
【００５４】
また、これらの温感タイル１０では、断熱部４の表面が粗面化されているため、凹部と人の肌との間に空気が存在しやすく、温感効果が高まる。また、断熱部４の粗面によって、人が床面を滑り難くなり、安全性が高まる。さらに、断熱部４の粗面によって、温感タイル１０の意匠性が高まっている。
【００５５】
さらに、これらの温感タイル１０では、気泡２ａ内に空気が存在するガラスバルーン２を採用しているため、断熱部４の製造が容易であり、製造コストの低廉化を実現できる。また、これらの温感タイル１０では、気泡２ａが独立気泡であることから、表面からの含水をより確実に防止することができ、汚れにくい。
【実施例２】
【００５６】
実施例２では、断熱用塗料４を基部１の第２部材１ｂの表面側に塗布した後、表面が鏡面をなす図示しない当て板を断熱用塗料４の表面に当接し、この状態で断熱用塗料４を硬化させる。こうして得られる断熱部４の表面は、図９に示すように、鏡面化されている。他の条件及び構成は実施例１と同様である。
【００５７】
こうして得られる温感タイル１０では、断熱部４の表面が鏡面化されていることにより、実施例１の床のような粗面による効果は享受できないものの、他の作用効果は実施例１と同様である。
【実施例３】
【００５８】
実施例３では、以下の製造方法により、浴室用の温感タイル２０を製造する。まず、第１工程において、実施例１と同様の基部１を得る。
【００５９】
次いで、第２工程を行う。まず、実施例１と同様に得た断熱用塗料４を基部１の第２部材１ｂの表面側全体に塗布する。そして、断熱用塗料４を硬化させ、第１断熱部４ａとする。この第１断熱部４ａは、基部１の第２部材１ｂの表面側で一体に設けられ、無数のガラスバルーン２による気泡２ａを密に有して構成されている。この第１断熱部４ａの全ての表面に対してマイクロシリカ又は二酸化チタンを含む塗料を塗布し、表面を親水性とする。こうして、中間材を得る。
【００６０】
この後、第３工程を行う。まず、断熱用塗料４を中間材の第２部材１ｂの表面側に塗布する。この際、第２部材１ｂにマスキングをしつつ断熱用塗料４を塗布する。このため、断熱用塗料４は、実施例１と同様、島状に塗布され、各断熱用塗料４の間に存在する溝５は周縁に連通している。そして、断熱用塗料４を硬化させ、第２断熱部４ｂとする。この第２断熱部４ｂは、実施例１の断熱部４と同様、基部１の表面側で溝５により島状に一体に設けられ、無数のガラスバルーン２による気泡２ａを密に有して構成されている。なお、他の中空粒子又は中空繊維を用いた他の断熱用塗料をここで用いることも可能である。こうして多数の温感タイル２０を得る。
【００６１】
こうして得られる温感タイル２０は、人が直接触れない表面側の第１断熱部４ａと、人が直接触れる表面側の第２断熱部４ｂとが無数の気泡２ａを有しており、各気泡２ａが熱の移動を阻害する。このため、これらの温感タイル２０はさらに効果的な温感効果を発揮する。
【００６２】
また、これらの温感タイル２０は、第２断熱部４ｂが第１断熱部４ａの表面側で周縁に連通する溝５により島状に設けられたものであるため、その表面に水Ｗが存在する場合、水Ｗは第２断熱部４ｂの表面から溝５内に落ちて第１断熱部４ａの周縁から外部に排出される。このため、人はその水に触れ難く、温感効果が損なわれ難い。
【００６３】
したがって、これらの温感タイル２０はより優れた温感効果を奏することができる。他の作用効果は実施例１と同様である。
【実施例４】
【００６４】
実施例４では、断熱部４を図１１に示すように塗布し、形成する。他の条件及び構成は実施例１と同様である。こうして得られる温感タイル３０においては、表面積に占める溝５の割合が多いことから、より水Ｗを外部に排出しやすいという作用効果を奏することができる。他の作用効果は実施例１と同様である。
【実施例５】
【００６５】
実施例５では、断熱部４を図１２に示すように塗布し、形成する。他の条件及び構成は実施例１と同様である。こうして得られる温感タイル４０においては、表面積に占める断熱部４の割合が多いことから、より温感効果を得やすい。他の作用効果は実施例１と同様である。
【実施例６】
【００６６】
実施例６では、断熱部４を図１３に示すように塗布し、形成する。他の条件及び構成は実施例１と同様である。こうして得られる温感タイル５０においても、実施例１、４と同様の作用効果を奏することができる。
【比較例】
【００６７】
比較例では、断熱部４を図１４に示すように塗布し、形成する。他の条件及び構成は実施例１と同様である。こうして得られる温感タイル６０においては、断熱部４が基部１の表面側で周縁に連通しない溝５により設けられたものであるため、その表面に水Ｗが存在する場合、水Ｗが外部に排出されない。このため、人はその水Ｗに触れやすく、温感効果が損なわれてしまう。
【００６８】
実施例１、２、４〜６の温感タイルと同様の温感床材は以下の製造方法によっても製造可能である。この製造方法では、第１工程において、上記と同様、板状の基部１を得る。そして、第２工程では、無数の中空粒子又は中空繊維を含まない一般塗料を用意し、この一般塗料を基部１の表面側に塗布する。この際、周縁に連通する溝５により島状になるように一般塗料を塗布する。これにより未硬化塗料部を形成し、中間材を得る。この後、第３工程において、中間材の未硬化塗料部に中空粒子又は中空繊維を散在する。これにより、基部１の表面側で溝５により島状に一体に設けられ、無数の気泡２ａを有して構成された断熱部４とする。こうして温感床材を得る。
【００６９】
また、実施例１、２、４〜６の温感タイルと同様の温感床材は以下の製造方法によっても製造可能である。この製造方法では、第１工程において、上記と同様、板状の基部１を得る。そして、第２工程では、無数の中空粒子又は中空繊維を含む断熱部用ＳＭＣを用意し、この断熱部用ＳＭＣを基部１の表面側に設ける。この際、周縁に連通する溝５により島状になるように断熱部用ＳＭＣを設ける。これにより、基部１の表面側で溝５により島状に一体に設けられ、無数の気泡２ａを有して構成された断熱部４を形成する。こうして温感床材を得る。
【００７０】
一方、実施例３の温感タイルと同様の温感床材は以下の製造方法によっても製造可能である。この製造方法では、第１工程において、上記と同様、板状の基部１を得る。第２工程では、まず無数の中空粒子又は中空繊維を含む第１断熱用塗料を用意し、この第１断熱用塗料を基部１の表面側に塗布する。これにより、基部１の表面側で一体に設けられ、無数の気泡２ａを有して構成された第１断熱部４ａとする。こうして中間材を得る。この後、第３工程では、まず無数の中空粒子又は中空繊維を含む第２断熱用塗料を用意し、この第２断熱用塗料を中間材の表面側に塗布する。この際、周縁に連通する溝５により島状になるように第２断熱用塗料を塗布する。これにより、中間材の表面側で溝５により島状に一体に設けられ、無数の気泡を有して構成された第２断熱部４ｂとする。こうして温感床材を得る。
【００７１】
また、実施例３の温感タイルと同様の温感床材は以下の製造方法によっても製造可能である。この製造方法では、第１工程において、上記と同様、板状の基部１を得る。第２工程では、まず無数の中空粒子又は中空繊維を含む第１断熱用塗料を用意し、上記と同様、この第１断熱用塗料を基部１の表面側に塗布する。これにより、基部１の表面側で一体に設けられ、無数の気泡２ａを有して構成された第１断熱部４ａとする。こうして中間材を得る。この後、第３工程では、まず無数の中空粒子又は中空繊維を含まない一般塗料を用意し、上記と同様、この一般塗料を中間材の表面側に塗布する。この際、周縁に連通する溝５により島状になるように一般塗料を塗布する。これにより、中間材の表面側で溝５により島状に一体に設けられた未硬化塗料部とする。次いで、第４工程として、中間材の未硬化塗料部に中空粒子又は中空繊維を散在する。これにより、中間材の表面側で溝５により島状に一体に設けられ、無数の気泡を有して構成された第２断熱部４ｂとする。こうして温感床材を得る。
【００７２】
さらに、実施例３の温感タイルと同様の温感床材は以下の製造方法によっても製造可能である。この製造方法では、第１工程において、上記と同様、板状の基部１を得る。そして、第２工程では、無数の中空粒子又は中空繊維を含む第１断熱部用ＳＭＣを用意し、この第１断熱部用ＳＭＣを基部１の表面側に設ける。これにより、基部１の表面側で一体に設けられ、無数の気泡２ａを有して構成された第１断熱部４ａを形成する。こうして中間材を得る。この後、第３工程では、無数の中空粒子又は中空繊維を含む第２断熱部用ＳＭＣを用意し、この第２断熱部用ＳＭＣを中間材の表面側に設ける。この際、周縁に連通する溝５により島状になるように第２断熱部用ＳＭＣを設ける。これにより、中間材の表面側で溝５により島状に一体に設けられ、無数の気泡２ａを有して構成された第２断熱部４ｂを形成する。こうして温感床材を得る。
【００７３】
なお、基部１をセラミックス製とする場合、粘土等のセラミックス原料によって板状の素地を得た後、この素地の表面側に断熱部用釉薬によって釉薬層を施釉して施釉品とし、さらにこの施釉品を焼成する。これにより第１工程と第２工程とを同時に行うことができる。
【００７４】
また、上記実施例１〜６の温感床材は温感タイルであることから、温感効果は冬場の冷感の回避として発揮されるが、本発明の温感床材をベランダやバルコニーの床タイル等に適用した場合には、温感効果が夏場の熱感の回避として発揮されることはいうまでもない。
【産業上の利用可能性】
【００７５】
本発明は、浴室用、ベランダ用、バルコニー用、リビング用等の温感タイル、防水パン等に利用可能である。
【図面の簡単な説明】
【００７６】
【図１】実施例１の温感タイルに係り、基部の斜視図である。
【図２】実施例１の温感タイルに係り、基部の断面図である。
【図３】実施例１の断熱用塗料又は温感タイルの断熱部の拡大断面図である。
【図４】実施例１の温感タイルの斜視図である。
【図５】実施例１の温感タイルの拡大断面図である。
【図６】実施例１の温感タイルからなる床の拡大断面図である。
【図７】実施例１の温感タイルからなる床の斜視図である。
【図８】実施例１の温感タイルからなる床の拡大斜視図である。
【図９】実施例２の断熱用塗料又は温感タイルの断熱部の拡大断面図である。
【図１０】実施例３の温感タイルの拡大断面図である。
【図１１】実施例４の温感タイルの斜視図である。
【図１２】実施例５の温感タイルの斜視図である。
【図１３】実施例６の温感タイルの斜視図である。
【図１４】比較例の温感タイルの斜視図である。
【符号の説明】
【００７７】
１…基部
４…断熱部、断熱用塗料
４ａ…第１断熱部
４ｂ…第２断熱部
５…溝
２ａ…気泡
【図１】
2005076419.tif 000003
【図２】
2005076419.tif 000004
【図３】
2005076419.tif 000005
【図４】
2005076419.tif 000006
【図５】
2005076419.tif 000007
【図６】
2005076419.tif 000008
【図７】
2005076419.tif 000009
【図８】
2005076419.tif 000010
【図９】
2005076419.tif 000011
【図１０】
2005076419.tif 000012
【図１１】
2005076419.tif 000013
【図１２】
2005076419.tif 000014
【図１３】
2005076419.tif 000015
【図１４】
2005076419.tif 000016